(57)【要約】【課題】  単一の受信系統でシームレスな放送受信を行うこと。【解決手段】  デジタル放送受信機１は、単一チューナにより受信された放送波から、現在設定中の選局チャンネルの番組を映像ストリーム及び音声ストリームを再生する受信系統１０３と、受信系統１０３にて、チューナの受信レベルが低くなると、持込み機器２に切替要求を送信する通信部１０４とを備える。持込み機器２は、通信部１０４からの切替要求に応答して、所定の番組を表す映像ストリーム及び音声ストリームをデジタル放送受信機１に送信する。デジタル放送受信機１にて、通信部１０４は、持込み機器２からの映像ストリーム及び音声ストリームを受信系統１０３に転送し、受信系統１０３は、これまで再生していた映像ストリーム及び音声ストリームを、通信部１０４からの映像ストリーム及び音声ストリームに所定の情報を用いて切替える。【選択図】  図１
2010177727.tif 000002
【特許請求の範囲】
【請求項１】
持込み機器と協働して、番組を再生するデジタル放送受信機であって、
前記デジタル放送受信機は、
単一のチューナを含んでおり、該チューナにより受信された放送波から、現在設定された選局チャンネルの番組を映像ストリーム及び音声ストリームを再生する受信系統と、
前記受信系統において、前記チューナの受信レベルが低くなると、前記持込み機器に向けて切替要求を送信する通信部とを備え、
前記持込み機器は、前記通信部からの切替要求に応答して、所定の番組を表す映像ストリーム及び音声ストリームを前記デジタル放送受信機に送信し、
前記デジタル放送受信機において、
前記通信部は、前記持込み機器からの映像ストリーム及び音声ストリームを前記受信系統に転送し、
前記受信系統は、これまで再生していた映像ストリーム及び音声ストリームを、前記通信部から送られてくる映像ストリーム及び音声ストリームに所定の情報を用いて切替える、
デジタル放送受信機。
【請求項２】
前記受信系統においては、前記通信部から送られてくる映像ストリーム及び音声ストリームを受け取っている間、前記チューナは中継局（系列局）サーチを行う、
請求項１に記載のデジタル放送受信機。
【請求項３】
前記通信部は、前記受信系統に現在設定されている選局チャンネルを含む切替要求を送信し、
前記持込み機器は、前記通信部からの切替要求に応答して、受け取った切替要求に含まれる選局チャンネルに基づき、中継局（系列局）サーチを行い、その結果得られた中継局（系列局）からの放送波に基づき映像ストリーム及び音声ストリームを再生して前記デジタル放送受信機に送信する、
請求項１に記載のデジタル放送受信機。
【請求項４】
前記所定の情報はＰＴＳ（Ｐｒｅｓｅｎｔａｔｉｏｎ  Ｔｉｍｅ  Ｓｔａｍｐ）又はＰＣＲ（Ｐｒｏｇｒａｍ  Ｃｌｏｃｋ  Ｒｅｆｅｒｅｎｃｅ）である、
請求項１に記載のデジタル放送受信機。
【請求項５】
前記持込み機器は車両に持込み可能であって、前記デジタル放送受信機は車両に設置可能に構成される、
請求項１に記載のデジタル放送受信機。
【発明の詳細な説明】
【技術分野】
【０００１】
本発明は、複数の放送エリアをまたがって移動する移動体（例えば車両）に設置されるデジタル放送受信機に関する。
【背景技術】
【０００２】
上記のようなデジタル放送受信機は、移動に伴いて、現在再生中の番組の放送エリアを外れ、これに隣接する放送エリアに入ってしまう場合がある。このような状況に備え、同一番組への切替を行えるように、デジタル放送受信機の中には、ダブルチューナを採用している、つまり、デジタル放送波の受信系統を２つ備えているものがある。
【０００３】
このデジタル放送受信機は、２個のチューナのうち、受信状態の良い方の信号を用いて受信を行う。電波が安定している間、デジタル放送受信機は、片方のチューナを用いてチャンネルサーチを行い、受信地域の全チャンネル情報を記憶する。また、隣接する放送エリアのチャンネルが放送されており、デジタル放送受信機は、その放送を片方のチューナで受信して、隣接地域のチャンネル情報を記憶し、隣接する放送エリアに移動したときにその地域の放送チャンネルをサーチすることなく、シームレスな放送受信が可能となる（例えば、特許文献１を参照）。
【特許文献１】特開２００４−３２０４０６号公報
【発明の開示】
【発明が解決しようとする課題】
【０００４】
デジタル放送受信機を低コストで実現しようとすると、受信系統が１つであることが望まれる。
【０００５】
それ故に、本発明は、単一の受信系統でも、シームレスな放送受信を行えるデジタル放送受信機を提供することを目的とする。
【課題を解決するための手段】
【０００６】
上記目的を達成するために、本発明は、持込み機器と協働して番組を再生するデジタル放送受信機に向けられており、デジタル放送受信機は、単一のチューナを含んでおり、該チューナにより受信された放送波から、現在設定された選局チャンネルの番組を映像ストリーム及び音声ストリームを再生する受信系統と、受信系統において、チューナの受信レベルが低くなると、持込み機器に対して切替要求を送信する通信部とを備える。持込み機器は、通信部からの切替要求に応答して、所定の番組を表す映像ストリーム及び音声ストリームをデジタル放送受信機に送信する。デジタル放送受信機において、通信部は、持込み機器からの映像ストリーム及び音声ストリームを受信系統に転送し、受信系統は、これまで再生していた映像ストリーム及び音声ストリームを、通信部から送られてくる映像ストリーム及び音声ストリームに所定の情報を用いて切り換える。
【発明の効果】
【０００７】
上記構成によれば、デジタル放送受信機の受信レベルが低くなると、デジタル放送受信機の受信系統で再生された映像ストリーム及び音声ストリームが、持込み機器から得られた映像ストリーム及び音声ストリームに、所定の情報（例えば、ＰＴＳやＰＣＲ）に基づき切替えられる。これによって、デジタル放送受信機が単一の受信系統しか備えない場合であっても、外部機器と連携することで、シームレスな放送受信を行うことが可能となる。
【発明を実施するための最良の形態】
【０００８】
◆システム構成
図１は、本発明の一実施形態に係るデジタル放送受信システム（以下、システムと略記する）の全体構成を示すブロック図である。図１において、システムは、車載デジタル放送受信機１と、持込み機器２とを備えている。
【０００９】
［デジタル放送受信機１の構成］
デジタル放送受信機１は、車両Ｖに設置可能に構成されており、デジタル放送番組を受信し再生する。番組受信・再生のために、デジタル放送受信機１は、アンテナ１０１と、操作部１０２と、受信系統１０３と、通信部１０４と、スピーカ１０５と、表示器１０６とを含んでいる。
【００１０】
アンテナ１０１は、例えば車体に設置可能に構成されており、デジタル放送局から送信される放送波ＲＦを受信し、受信系統１０３に出力する。
【００１１】
操作部１０２は、例えば、デジタル放送受信機１に備わる操作ボタン又は該受信機１に付属のリモコンであり、ユーザにより操作可能なボタン又はキーを有している。このボタンやキーを操作することにより、ユーザは、希望のチャンネルを選局する。操作部１０２は、ユーザの操作に応答して、例えば、選択された放送チャンネルを示す情報（以下、単に、選局チャンネルと称する）Ｃを、受信系統１０３に出力する。
【００１２】
受信系統１０３は、大まかに述べると、選局チャンネルＣで放送されている番組を表すオーディオ信号Ａ及び映像信号Ｖを生成して、スピーカ１０５及び表示器１０６に出力する。
【００１３】
ここで、図２は、受信系統１０３の詳細な構成を示すブロック図である。図２において、受信系統１０３は、単一のチューナ１１１と、復調部１１２と、ＴＳデコーダ１１３と、音声デコーダ１１４と、映像デコーダ１１５と、入出力Ｉ／Ｆ１１６と、ＮＶＲＡＭ１１７と、ＲＯＭ１１８と、ＲＡＭ（主メモリ）１１９と、ＣＰＵ１２０と、提示処理部１２１とを有している。
【００１４】
チューナ１１１には、アンテナ１０１からの放送波ＲＦが入力される。チューナ１１１にはさらに、入出力Ｉ／Ｆ１１６又はＣＰＵ１２０を介して入力される選局チャンネルＣが設定される。
【００１５】
ここで、代表的な選局チャンネルＣの設定方法としては、（１）ＮＶＲＡＭ１１７に保存してあるチャンネルリストを使用してＣＰＵ１２０が選局チャンネルＣを選択し、これをチューナ１１１が設定する方法、（２）ユーザが操作部１０２を用いて物理チャンネルを指定し、これをチューナ１１１が入出力Ｉ／Ｆ１１６を介して受け取り設定する方法、（３）ＣＰＵ１２０がチャンネルシークを実行し、それにより得られた選局チャンネルＣをチューナ１１１が設定する方法がある。ここで、選局チャンネルＣの選択には、通常、物理チャンネル番号(周波数)と各デジタル放送局に一意に割り振られたネットワークＩＤとが用いられる。
【００１６】
チューナ１１１は、入力放送波ＲＦのうち、設定された選局チャンネルＣが割り当てられた放送波ＲＦ’を抽出して、抽出した放送波ＲＦ’を復調部１１２に出力する。
【００１７】
復調部１１２は、入力された放送波ＲＦ’（アナログ信号）をデジタル信号に変換し、このデジタル信号に対しＦＦＴ（高速フーリエ変換）を行う。その後、復調部１１２は、ＦＦＴ済みのデジタル信号に対しＯＦＤＭ復調及び誤り訂正を行って、トランスポートストリームパケット（以下、ＴＳパケットと称する）ＴＰを再生する。こうして再生されたＴＳパケットＴＰはＴＳデコーダ１１３に出力される。
【００１８】
また、復調部１１２は、入力放送波ＲＦ’に対し、予め定められた期間の平均受信レベルを検出し、この平均受信レベルが所定の基準レベル以下か否かを判断する。この基準レベルは、様々な要因で定められるが、スピーカ１０５及び表示器１０６からの出力音声及び出力映像の品質が悪くなると想定される値に定められる。復調部１１２は、肯定又は否定を示す判断結果（肯定又は否定）ＤをＣＰＵ１２０に渡す。
【００１９】
ＴＳデコーダ１１３は、まず、入力されたＴＳパケットＴＰを目的別に分離する。具体的には、ＴＳパケットＴＰは、少なくとも、音声ストリームＤＡ１、映像ストリームＤＶ１、データ放送ストリームＤＳ、番組配列情報ＳＩ及び字幕・文字スーパーＰＥＳに分離され、分離された音声ストリームＤＡ１は音声デコーダ１１４に、分離された映像ストリームＤＶ１は映像デコーダ１１５に、さらに、分離されたデータ放送ストリームＤＳ、番組配列情報ＳＩ及び字幕・文字スーパーＰＥＳはＣＰＵ１２０に出力される。
【００２０】
音声デコーダ１１４には、ＴＳデコーダ１１３からの音声ストリームＤＡ１と、持込み機器２側からデジタル放送受信機１に転送されてくる音声ストリームＤＡ２とが入力される。音声デコーダ１１４は、ＣＰＵ１２０の制御下で、音声ストリームＤＡ１，ＤＡ２のいずれか一方を選択して、選択したものをデコードする。音声デコーダ１１４は、デコードにより得られたアナログの音声信号Ａをスピーカ１０５に出力する。
【００２１】
映像デコーダ１１５は、ＴＳデコーダ１１３からの映像ストリームＤＶ１と、持込み機器２側からデジタル放送受信機１に転送されてくる映像ストリームＤＶ２とが入力される。映像デコーダ１１５は、ＣＰＵ１２０の制御下で、映像ストリームＤＶ１，ＤＶ２のいずれか一方を選択して、選択したものをデコードする。映像デコーダ１１５は、デコードにより得られたアナログの映像信号Ｖ０を提示処理部１２１に出力する。
【００２２】
入出力Ｉ／Ｆ１１６は、前述の操作部１０２（図１参照）からの入力（典型的には選局チャンネルＣ）を受け付けて、チューナ１１１に出力する。
【００２３】
ＮＶＲＡＭ１１７は、例えばフラッシュメモリのような不揮発性メモリであって、例えば前述のようなチャンネルリストを格納している。
【００２４】
ＲＯＭ１１８は、例えば、映像信号Ｖ０に重畳される文字を表すフォントデータ、及び受信系統１０３を構成する各部を制御するためのプログラムを格納する。
【００２５】
ＲＡＭ１１９は、ＣＰＵ１２０が上記プログラムを実行する際に作業領域として用いられる。ＣＰＵ１２０は、上記プログラムに従って処理を実行する。例えば、ＣＰＵ１２０は、ＴＳデコーダ１１３から受け取った番組配列情報ＳＩに基づき、ＥＰＧ（電子番組表）を用いた各種処理及び選局処理を行う。ほかにも、ＣＰＵ１２０は、ＴＳデコーダ１１３から受け取った字幕・文字スーパーＰＥＳに従って、ＲＯＭ１１８に格納されたフォントデータを用いて、映像信号Ｖ０に重畳すべき字幕や文字スーパーを表す文字列データＯＳＤを作成する。こうして作成された文字列データＯＳＤは提示処理部１２１に転送される。
【００２６】
また、ＣＰＵ１２０は、復調部１１２からの判断結果Ｄが肯定（平均受信レベルが基準レベル以下）であると、現在の選局チャンネルＣを含む信号を切替要求ＲＱとして生成し、これを通信部１０４に送る。なお、この切替要求ＲＱは、持込み機器２に対し、音声ストリームＤＡ２及び映像ストリームＤＶ２をデジタル放送受信機１へ送るよう要求するための信号である。切替要求ＲＱはさらに、受信系統１０３に対し、音声ストリームＤＡ１及び映像ストリームＤＶ１を用いる番組再生から、音声ストリームＤＡ２及び映像ストリームＤＶ２を用いる番組再生に切替えるよう指示するための信号でもある。
【００２７】
提示処理部１２１には、ＣＰＵ１２０からの文字列データＯＳＤのほかに、映像デコーダ１１５からの映像信号Ｖ０が入力される。提示処理部１２１は、映像信号Ｖ０と文字列データＯＳＤとを合成して、この文字列が重畳された映像を表す映像信号Ｖを生成する。こうして生成された映像信号Ｖは表示器１０６に出力される。
【００２８】
ここで、再度図１を参照する。通信部１０４は、例えばＢｌｕｅｔｏｏｔｈのような近距離無線通信の規格に沿って、データを送受信する。本説明の場合、通信部１０４は、ＣＰＵ１２０からの切替要求ＲＱを持込み機器２に向けて送信する。また、通信部１０４は、切替要求ＲＱの送信後に持込み機器２から送出される音声ストリームＤＡ２及び映像ストリームＤＶ２を受信して、受信系統１０３に出力する。
【００２９】
スピーカ１０５及び表示器１０６は、受信系統１０３により生成されたオーディオ信号Ａ及び映像信号Ｖに従って音声及び映像を出力する。
【００３０】
［持込み機器２の構成］
図１において、持込み機器２は、例えばデジタル放送の受信が可能な携帯電話のように、ユーザが車両Ｖの室内に持ち込み可能な機器であって、少なくとも、アンテナ２０１と、少なくとも１つの受信系統２０２と、通信部２０３とを含んでいる。
【００３１】
アンテナ２０１は、デジタル放送局から送信される放送波ＲＦを受信し、受信系統２０２に出力する。
【００３２】
受信系統２０２は、受信系統１０３とほぼ同様の構成を有しており、大まかに述べると、アンテナ２０１からの放送波ＲＦに基づき、設定された選局チャンネルで放送されている番組を表す音声ストリームＤＡ２及び映像ストリームＤＶ２を生成する。生成された音声ストリームＤＡ２及び映像ストリームＤＶ２は、通信部２０３に出力される。
【００３３】
ここで、本実施形態における持込み機器２側の選局チャンネルの設定方法は以下の通りである。つまり、持込み機器２には、デジタル放送受信機１から、切替要求ＲＱが送られてくる。この切替要求ＲＱには、デジタル放送受信機１で現在設定されている選局チャンネルＣが含まれる。この選局チャンネルＣは、通信部２０３を介して受信系統２０２に送られてくる。ＣＰＵは、デジタル放送受信機１側の選局チャンネルＣを使って、中継局（系列局）サーチを行って、選局チャンネルＣを使っているデジタル放送局の中継局（系列局）をサーチする。それによって検出された選局チャンネルが受信系統２０２のチューナ（図示せず）に設定される。
【００３４】
通信部２０３は、通信部１０４と同様の近距離無線通信の規格に沿って、データを送受信する。本説明の場合、通信部２０３は、デジタル放送受信機１から送出された切替要求ＲＱを受信する。また、通信部２０３は、切替要求ＲＱの受信後に受信系統２０２から出力される音声ストリームＤＡ２及び映像ストリームＤＶ２を受け取り、これらをデジタル放送受信機１に向けて送出する。
【００３５】
◆シームレスな番組切替の仕組み
図３は、図１に示すシステムにおける番組切替の処理手順を示すフローチャートである。以下、図３を参照しながら、本システムにおけるシームレスな番組切替について説明する。
【００３６】
［デジタル放送受信機１側の処理］
デジタル放送受信機１側では、まず、前述の選局チャンネルＣの設定方法に従って、チューナ１１１に設定すべき選局チャンネルＣが確定される（図３：ステップＳ１０１）。
【００３７】
ステップＳ１０１が終わると、デジタル放送受信機１では、ステップＳ１０２が行われる。
【００３８】
チューナ１１１は、アンテナ１０１からの入力放送波ＲＦのうち、選局チャンネルＣが割り当てられた放送波ＲＦ’を抽出して、抽出した放送波ＲＦ’を復調部１１２に出力する。
【００３９】
まず、復調部１１２では、前述の通り、入力された放送波ＲＦ’に基づき、ＴＳパケットＴＰが再生され、このＴＳパケットＴＰはＴＳデコーダ１１３に出力される。
【００４０】
次に、ＴＳデコーダ１１３では、前述の通り、入力されたＴＳパケットＴＰが、音声ストリームＤＡ１、映像ストリームＤＶ１、データ放送ストリームＤＳ、番組配列情報ＳＩ及び字幕・文字スーパーＰＥＳに分離され、分離された音声ストリームＤＡ１は音声デコーダ１１４に、分離された映像ストリームＤＶ１は映像デコーダ１１５に、さらに、分離されたデータ放送ストリームＤＳ、番組配列情報ＳＩ及び字幕・文字スーパーＰＥＳはＣＰＵ１２０に出力される。
【００４１】
音声デコーダ１１４では、ＣＰＵ１２０の制御下で、初期的には、ＴＳデコーダ１１３からの音声ストリームＤＡ１をデコードし、その結果得られた音声信号Ａをスピーカ１０５に出力する。
【００４２】
また、映像デコーダ１１５では、ＣＰＵ１２０の制御下で、初期的には、ＴＳデコーダ１１３からの映像ストリームＤＶ１がデコードされ、その結果得られた映像信号Ｖ０は提示処理部１２１に出力される。
【００４３】
提示処理部１２１には、上述の通り、ＣＰＵ１２０からの文字列データＯＳＤと、映像デコーダ１１５からの映像信号Ｖ０とが入力される。提示処理部１２１では、これらに基づき、この文字列が重畳された映像を表す映像信号Ｖが生成され、表示器１０６に出力される。
【００４４】
スピーカ１０５及び表示器１０６では、受信系統１０３により生成されたオーディオ信号Ａ及び映像信号Ｖに従って音声及び映像（つまり、番組）が出力される。
【００４５】
以上で、ステップＳ１０２が終了する。
【００４６】
また、復調部１１２では、チューナ１１１から入力された放送波ＲＦ’が入力されると、平均受信レベルが求められ（ステップＳ１０３）、求められた平均受信レベルが前述の基準レベルと比較される（ステップＳ１０４）。
【００４７】
ステップＳ１０４でＹｅｓと判断されると、復調部１１２から、肯定的な判断結果ＤがＣＰＵ１２０に送られる。ＣＰＵ１２０では、前述の切替要求ＲＱが生成され、通信部１０４、音声デコーダ１１４及び映像デコーダ１１５に送られる。通信部１０４は、受け取った切替要求ＲＱを、持込み機器２に向けて送出する（ステップＳ１０５）。この後、通信部１０４は、持込み機器２から番組情報が送られてくることを待機する。
【００４８】
［持込み機器２側の処理］
持込み機器２は、車両Ｖの室内にユーザにより持込まれており、デジタル放送受信機１から切替要求ＲＱを通信部２０３にて受信する。受信された切替要求ＲＱは、受信系統２０２のＣＰＵ（図示せず）により受け取られる（図３：ステップＳ２０１）。
【００４９】
ＣＰＵは、切替要求ＲＱを受け取ると中継局サーチを行う（ステップＳ２０２）。この中継局サーチは、切替要求ＲＱに含まれる選局チャンネルＣを構成する物理チャンネル及びネットワークＩＤを用いて行われる。より好ましくは、それらに加えて、放送波ＲＦのＮＩＴ情報に含まれるＭＦＮ周波数を用いると、効率的に中継局サーチが可能となるため、その場合はデジタル放送受信機１側からはＭＦＮ周波数も送られる。
【００５０】
中継局が検出できると（ステップＳ２０３）、ＣＰＵは、その中継局の選局チャンネルＣを受信系統２０２のチューナに設定する。その結果、受信系統２０２では、アンテナ２０１の放送波ＲＦから、音声ストリームＤＡ２及び映像ストリームＤＶ２が再生される。また、こうして得られた音声ストリームＤＡ２及び映像ストリームＤＶ２は通信部２０３に送られる。
【００５１】
通信部２０３は、受け取った平均受信レベル（持込み機器２側）、音声ストリームＤＡ２及び映像ストリームＤＶ２を、デジタル放送受信機１に向けて送出する。
【００５２】
［デジタル放送受信機１側の処理（続き）］
通信部１０４は、音声ストリームＤＡ２及び映像ストリームＤＶ２を受信すると（図３：ステップＳ１０６）、それらを受信系統１０３のＲＡＭ１１９に転送する。その後、ＣＰＵ１２０は、音声デコーダ１１４及び映像デコーダ１１５に対し、これから転送される音声ストリームＤＡ２及び映像ストリームＤＶ２をデコードするように指示すると共に、ＲＡＭ１１９内の音声ストリームＤＡ２を音声デコーダ１１４に、映像ストリームＤＶ２を映像デコーダ１１５に転送する（ステップＳ１０７）。
【００５３】
音声デコーダ１１４は、ＣＰＵ１２０から指示が来るまでは、ＴＳデコーダ１１３からの音声ストリームＤＡ１をデコードしているが、指示を受け付けた直前のＰＴＳ（Ｐｒｅｓｅｎｔａｔｉｏｎ  Ｔｉｍｅ  Ｓｔａｍｐ）を保持する。そして、ＲＡＭ１１９から転送されてくる音声ストリームＤＡ２において、保持しているＰＴＳの次のＰＴＳを有する音声フレームから、音声デコーダ１１４は音声信号Ａを再生し、スピーカ１０５に出力する。
【００５４】
映像デコーダ１１５も同様に、ＣＰＵ１２０から指示が来るまでは、ＴＳデコーダ１１３からの映像ストリームＤＶ１をデコードしているが、指示を受け付けた直前のＰＴＳ（Ｐｒｅｓｅｎｔａｔｉｏｎ  Ｔｉｍｅ  Ｓｔａｍｐ）を保持する。そして、ＲＡＭ１１９から転送されてくる映像ストリームＤＶ２において、保持しているＰＴＳの次のＰＴＳを有する映像フレームから、映像デコーダ１１５は映像信号Ｖ０を再生し、提示処理部１２１に出力する。
【００５５】
提示処理部１２１は、前述と同様の処理を行って、映像信号Ｖを生成し表示器１０６に出力する。
【００５６】
以上の処理により、デジタル放送受信機１は、自身の平均受信レベルが低下すると、持込み機器２側から、中継局が放送している番組の音声ストリームＤＡ２，映像ストリームＤＶ２を近距離無線通信により受け取る。その後、デジタル放送受信機１においては、受信系統１０３は、持込み機器２側からの音声ストリームＤＡ２，映像ストリームＤＶ２を再生して、スピーカ１０５及び表示器１０６を介してユーザに対し番組を提供する（ステップＳ１０８）。
【００５７】
また、以上の処理の結果、受信系統１０３のチューナ１１１，復調部１１２及びＴＳデコーダ１１３というハードウェアリソースが使われなくなり、処理能力に余裕ができる。
【００５８】
このように、持込み機器２側の音声ストリームＤＡ２，映像ストリームＤＶ２に基づき番組が再生されている場合には、デジタル放送受信機１では、ステップＳ１０８の次にステップＳ１０９が行われる。ステップＳ１０９において、受信系統１０３のＣＰＵ１２０は、中継局サーチを行う。中継局サーチとは、ステップＳ１０２で受信していたデジタル放送局（以下、親局という）と同一のネットワークＩＤを持つが、物理チャンネルが相違するデジタル放送局（以下、中継局という）を検出する処理である。
【００５９】
具体的な中継局サーチ方法としては、物理周波数の下限(もしくは上限)からデジタル放送波を検出していき、異なる物理チャンネル、かつ、同一のネットワークＩＤを持つデジタル放送局が検出されたらサーチ処理を終了する。なお、見つからない場合は、次の物理周波数の検出を行う。
【００６０】
中継局が検出できたら、ＣＰＵ１２０は、検出した中継局の選局チャンネルＣをチューナ１１１に設定する（ステップＳ１０９）。チューナ１１１は、前述同様、入力放送波ＲＦのうち、選局チャンネルＣが割り当てられた放送波ＲＦ’を復調部１１２に出力する。
【００６１】
まず、復調部１１２では、前述同様、入力放送波ＲＦ’に基づきＴＳパケットＴＰを再生しＴＳデコーダ１１３に出力すると共に、判断結果ＤをＣＰＵ１２０に送る。
【００６２】
次に、ＴＳデコーダ１１３は、前述同様、入力ＴＳパケットＴＰを、音声ストリームＤＡ１、映像ストリームＤＶ１等に分離し、分離した音声ストリームＤＡ１，映像ストリームＤＶ１を、音声デコーダ１１４，映像デコーダ１１５に出力する（ステップＳ１１０）。
【００６３】
ＣＰＵ１２０は、ステップＳ１１０の受信処理の制御を終了すると、復調部１１２から取得した平均受信レベルを受け取り（ステップＳ１０３）、基準レベル以下か否かを判断する（ステップＳ１０４）。現在中継局の選局チャンネルＣに変更されているので、Ｙｅｓと判断されることは稀である。また、Ｙｅｓと判断した場合については、既に説明しているので、その説明を省略する。
【００６４】
ＣＰＵ１２０は、ステップＳ１０４でＮｏと判断すると、ステップＳ１１１に行う。ＣＰＵ１２０は、ステップＳ１１１において、まず、音声デコーダ１１４及び映像デコーダ１１５に対し、ステップＳ１１０で与えられた音声ストリームＤＡ１及び映像ストリームＤＶ１をデコードするように指示する。
【００６５】
音声デコーダ１１４は、ＣＰＵ１２０から指示が来るまでは、持込み機器２からの音声ストリームＤＡ２をデコードしているが、指示を受け付けた直前のＰＴＳ（Ｐｒｅｓｅｎｔａｔｉｏｎ  Ｔｉｍｅ  Ｓｔａｍｐ）を保持する。そして、ＴＳデコーダ１１３から転送されてくる音声ストリームＤＡ１において、保持しているＰＴＳの次のＰＴＳを有する音声フレームから、音声デコーダ１１４は音声信号Ａを再生し、スピーカ１０５に出力する。
【００６６】
映像デコーダ１１５も同様に、ＣＰＵ１２０から指示が来るまでは、持込み機器２からの映像ストリームＤＶ２をデコードしているが、指示を受け付けた直前のＰＴＳ（Ｐｒｅｓｅｎｔａｔｉｏｎ  Ｔｉｍｅ  Ｓｔａｍｐ）を保持する。そして、ＴＳデコーダ１１３から送られてくる映像ストリームＤＶ１において、保持しているＰＴＳの次のＰＴＳを有する映像フレームから、映像デコーダ１１５は映像信号Ｖ０を再生し、提示処理部１２１に出力する。
【００６７】
提示処理部１２１は、前述と同様の処理を行って、映像信号Ｖを生成し表示器１０６に出力する。
【００６８】
以上の処理により、デジタル放送受信機１は、中継局の選局チャンネルＣを設定し受信処理を行うことで、自身の平均受信レベルが向上すると、自身が現在受信している音声ストリームＤＡ１，映像ストリームＤＶ１を再生して、スピーカ１０５及び表示器１０６を介してユーザに対し番組を提供する（ステップＳ１１２）。
【００６９】
以上説明したように、本実施形態によれば、デジタル放送受信機１に単一のチューナ１１１しか備わっていなくとも、持込み機器２のリソースを用いて、上述のような切替制御を行うことで、デジタル放送受信機１自体を低コストで実現しつつも、シームレスな放送受信が行えるようになる。
【００７０】
なお、以上の実施形態では、シームレスな切替制御のためにＰＴＳを用いていたが、これに限らず、ＰＣＲ（Ｐｒｏｇｒａｍ  Ｃｌｏｃｋ  Ｒｅｆｅｒｅｎｃｅ）で代用することも可能である。ＰＣＲは、番組基準クロック（放送機器が持つクロック・タイミングと、受信機の持つクロック・タイミングとの補正に使用されるプログラムの基準時計情報）である。持込み機器２が、自分のＰＣＲを音声ストリームＤＡ２，映像ストリームＤＶ２に付加してデジタル放送受信機１に送ることで、デジタル放送受信機１は、この値が同じタイミングで、音声ストリームＤＡ１及び音声ストリームＤＡ２を相互に切替えることでも実現できる。映像ストリームＤＶ１及び映像ストリームＤＶ２も同様である。
【００７１】
また、音声ストリームＤＡ２，映像ストリームＤＶ２は、持込み機器２からデジタル放送受信機１へと近距離無線通信でデータ伝送されるため、どうしても遅延時間が発生してしまう。そのため、デジタル放送受信機１側の音声デコーダ１１４及び映像デコーダ１１５のバッファサイズを大きくし、持込み機器２側の音声デコーダ及び映像デコーダ（図示せず）のバッファサイズを小さくすることで、持込み機器２側から音声ストリームＤＡ２，映像ストリームＤＶ２をできるだけ早く送出することでデータ伝送の遅延時間に対する影響を無くす。
【００７２】
◆デジタル放送受信機１とデジタル放送局との関わり
以下、図４を参照して、デジタル放送受信機１とデジタル放送局との関わりについて説明する。デジタル放送受信機１については、車両Ｖの移動に伴い、現在位置が変わっていく。従って、放送波ＲＦを受信するデジタル放送局も変わっていく。具体例を挙げると、図４に示すように、現在、デジタル放送受信機１は、場所Ａの位置しており、親局ＰＳからの放送波ＲＦを受信して、番組を表示していると仮定する。その後、デジタル放送受信機１が場所Ｂに移動すると、親局ＰＳと中継局ＲＳの両方の放送波ＲＦを受信可能なエリアに入る。
【００７３】
さらに、図４の場所Ｃに示すように、デジタル放送受信機１が親局ＰＳの放送エリアから遠ざかり、中継局ＲＳの放送エリア内に移動していくと、親局ＰＳの放送波ＲＦが徐々に弱くなって行き、中継局ＲＳの放送波ＲＦが徐々に大きくなり、次第に中継局ＲＳの放送波ＲＦしか受信できなくなってしまう。（Ｃの位置)
この際に、親局ＰＳの放送波ＲＦの平均受信レベルが基準レベルよりも小さくなった時点で、デジタル放送受信機１は、持込み機器２から一時的に音声ストリームＤＡ２，映像ストリームＤＶ２を受信し、番組再生を行う。また、その間に、デジタル放送受信機１は、中継局サーチを行って、検出した中継局の選局チャンネルＣを設定し、そこからの放送波ＲＦを受信し番組再生するよう切替えることで、ユーザにはシームレスに視聴番組を切替えることが可能になる。
【００７４】
[備考１]
なお、本実施形態では、中継局サーチを持込み機器２側で完結する形式で説明しているが、デジタル放送受信機１側で、受信中の放送局のＭＦＮ周波数に記載されている物理チャンネル周波数を用いて選局要求を送信する形式でも実現できる。ＭＦＮ周波数には中継局の物理周波数リストが含まれており、このリストを先頭から順に物理周波数を、デジタル放送受信機１側で特定して選局要求を持込み機器２に送信し、持込み機器２側で選局した結果として音声ストリームＤＡ２及び映像ストリームＤＶ２に加えてネットワークＩＤを受信し、中継局が受信できたかを判定する。中継局であれば、持込み機器２が切替制御を実施する。この構成にすることで、持込み機器２側が単純な物理周波数だけの選局機能をもっていない機器だとしても、シームレスな放送受信を行うことが可能になる。また、複数の放送波を受信できるエリアにおいても確実に同じ番組を放送している中継局に切替えることが可能になる。
【００７５】
［備考２］
なお、本実施形態では、デジタル放送受信機１は、持込み機器２から同一の選局チャンネルＣで放送されている番組の提供を受けていたが、これに限らず、持込み機器２は、持込み機器２が切替要求ＲＱを受け取った時点で設定されている選局チャンネルの番組を提供するようにしてもかまわない。
【産業上の利用可能性】
【００７６】
本発明の係るデジタル放送受信機は、低コストで実現することが要求される車載用途などに有用である。
【図面の簡単な説明】
【００７７】
【図１】本発明の一実施形態に係るデジタル放送受信システムの全体構成を示すブロック図
【図２】図１に示す受信系統１０３の詳細な構成を示すブロック図
【図３】図１に示すシステムにおける番組切替の処理手順を示すフローチャート
【図４】図１に示すデジタル放送受信機１とデジタル放送局との関わりを示す模式図
【符号の説明】
【００７８】
１  デジタル放送受信機
１０１  アンテナ
１０２  操作部
１０３  受信系統
１０４  通信部
１０５  スピーカ
１０６  表示器
１１１  チューナ
１１２  復調部
１１３  ＴＳデコーダ
１１４  音声デコーダ
１１５  映像デコーダ
１１６  入出力Ｉ／Ｆ
１１７  ＮＶＲＡＭ
１１８  ＲＯＭ
１１９  ＲＡＭ
１２０  ＣＰＵ
１２１  提示処理部
２  持込み機器
２０１  アンテナ
２０２  受信系統
２０３  通信部
【図１】
2010177727.tif 000003
【図２】
2010177727.tif 000004
【図３】
2010177727.tif 000005
【図４】
2010177727.tif 000006